(57)【要約】【課題】本発明はＤＳＰ誘導加熱調理装置に関し、より詳しくはＤＳＰを利用して誘導加熱調理装置の駆動制御アルゴリズムと保護動作、検出動作及びパワー素子駆動を制御する技術である。【解決手段】このような本発明に係るＤＳＰを利用した誘導過熱調理装置は、入力電源を整流して前記入力電源の電流及び電圧レベルをチェックする入力電源制御部と、前記入力電源の印加を受け、スイッチング及びＬＣ共振回路の時定数によるエネルギー充放電を繰り返して調理器具を誘導加熱する誘導加熱部と、前記誘導加熱部の誘導加熱動作を制御し、前記入力電源制御部のチェック結果に従い前記誘導加熱部の出力が一定するよう制御するＤＳＰと、前記誘導加熱部の共振電圧を検出して前記ＤＳＰの動作を制御するＤＳＰ制御部とを含んでなることを特徴とする。【選択図】図１
2006253132.tif 000002
【特許請求の範囲】
【請求項１】
入力電源を整流し前記入力電源の電流及び電圧レベルをチェックする入力電源制御部と、
前記入力電源の印加を受け、スイッチング及びＬＣ共振回路の時定数によるエネルギー充放電を繰り返して調理器具を誘導加熱する誘導加熱部と、
前記誘導加熱部の誘導加熱動作を制御し、前記入力電源制御部のチェック結果に従い、前記誘導加熱部の出力が一定するよう制御するＤＳＰと、
前記誘導加熱部の共振電圧を検出し、前記ＤＳＰの動作を制御するＤＳＰ制御部とを含んでなることを特徴とするＤＳＰを利用した誘導加熱調理装置。
【請求項２】
前記入力電源制御部は、
前記入力電源のノイズをフィルタリングするノイズフィルタと、
前記ノイズフィルタから出力した入力電源を整流する整流部と、
前記ノイズフィルタから出力した入力電源の電流を検出し、前記電流レベルに応じた電圧レベル信号を前記ＤＳＰに伝達する電流検出部と、
前記整流部から出力した整流電源の電圧レベルを検出し、前記ＤＳＰに伝達する電圧検出部とを備えることを特徴とする請求項１に記載のＤＳＰを利用した誘導加熱調理装置。
【請求項３】
前記ＤＳＰは、
前記電流検出部及び前記電圧検出部の出力を利用して停電を感知し、前記停電時の以前状態を記憶して復電時以前状態に駆動され得るよう制御することを特徴とする請求項２に記載のＤＳＰを利用した誘導加熱調理装置。
【請求項４】
前記整流部は、
前記ノイズフィルタと前記電圧検出部との間に備えられるブリッジダイオードを介し、前記入力電源を整流することを特徴とする請求項２に記載のＤＳＰを利用した誘導加熱調理装置。
【請求項５】
前記入力電源制御部は、
前記入力電源のノイズをフィルタリングするノイズフィルタと、
前記ノイズフィルタから出力した入力電源を整流する整流部と、
前記ノイズフィルタから出力した入力電源の電流を検出し、前記電流レベルに応じる電圧レベル信号を前記ＤＳＰに伝達する電流検出部と、
前記ノイズフィルタから出力した入力電源の電圧レベルを検出し、前記ＤＳＰに伝達する電圧検出部とを備えることを特徴とする請求項１に記載のＤＳＰを利用した誘導加熱調理装置。
【請求項６】
前記ＤＳＰは、
前記電流検出部及び前記電圧検出部の出力を利用して停電を感知し、前記停電時の以前状態を記憶して復電時以前状態に駆動され得るよう制御することを特徴とする請求項５に記載のＤＳＰを利用した誘導加熱調理装置。
【請求項７】
前記整流部は、
前記ノイズフィルタと前記平滑部との間に備えられるブリッジダイオードと、
前記ノイズフィルタと前記電源検出部との間に備えられる複数個のダイオードとを備えることを特徴とする請求項６に記載のＤＳＰを利用した誘導加熱調理装置。
【請求項８】
前記誘導加熱部は、
前記ＤＳＰから出力するＩＧＢＴ駆動制御信号に応じて駆動するＩＧＢＴ駆動部と、
前記ＩＧＢＴ駆動部の制御下にスイッチングを行うＩＧＢＴと、
前記ＩＧＢＴのスイッチング動作に従いＬＣ共振及び前記調理器具を誘導加熱するＬＣ共振部とを備えることを特徴とする請求項６に記載のＤＳＰを利用した誘導加熱調理装置。
【請求項９】
前記ＤＳＰ制御部は、
前記誘導加熱部の出力電圧の共振電圧を検出する共振電圧検出部と、
前記共振電圧検出部から検出された共振電圧のゼロ位相を検出し、前記ＤＳＰに伝達する共振電圧位相検出部とを備えることを特徴とする請求項８に記載のＤＳＰを利用した誘導加熱調理装置。
【請求項１０】
前記ＤＳＰは、
前記共振電圧位相検出部から前記共振電圧のゼロ位相が検出されると、前記ＩＧＢＴ駆動部を駆動させることを特徴とする請求項９に記載のＤＳＰを利用した誘導加熱調理装置。
【請求項１１】
前記ＩＧＢＴの過電圧、過電流及び温度を検出して前記ＤＳＰに伝達するＩＧＢＴ安定化部をさらに備えることを特徴とする請求項９に記載のＤＳＰを利用した誘導加熱調理装置。
【請求項１２】
前記ＩＧＢＴ安定化部は、
前記共振電圧検出部に接続され、前記ＩＧＢＴの許容耐圧以上の過電圧を検出して前記ＤＳＰに伝達する過電圧検出部と、
前記ＩＧＢＴ駆動部に接続され、前記ＩＧＢＴの許容電流以上の過電流を検出して前記ＤＳＰに伝達する過電流検出部と、
前記ＩＧＢＴの温度を検出して前記ＤＳＰに伝達する温度検出部とを備えることを特徴とする請求項１１に記載のＤＳＰを利用した誘導加熱調理装置。
【請求項１３】
前記ＤＳＰは、
前記過電圧検出部、前記過電流検出部及び前記温度検出部の出力信号に応じて過電圧、過電流及び過熱時に前記ＩＧＢＴの動作を停止させることを特徴とする請求項１２に記載のＤＳＰを利用した誘導加熱調理装置。
【請求項１４】
過電流防止用ヒューズと、伝導性ノイズ除去のためのＥＭＩフィルタを経て入力される常用電源をブリッジダイオードを介し整流する整流部と、
前記過電流防止用ヒューズと、伝導性ノイズ除去のためのＥＭＩフィルタを経て入力される常用電源から電流トランスフォーマーを用いて電流を検出し、これに伴う電圧レベルをＤＳＰに入力する入力電流検出部と、
前記整流部の出力を抵抗分圧回路を介し電圧レベルに変換してＤＳＰに入力する入力電圧検出部と、
ＩＧＢＴのスイッチングとその時定数によるエネルギー充放電を繰り返して調理器具を誘導加熱するＬＣ共振部と、
ＬＣ共振電圧を検出する共振電圧検出部と、
前記ＤＳＰから供給されるＩＧＢＴ駆動制御信号に応じて前記ＩＧＢＴを駆動するＩＧＢＴ駆動部と、
前記共振電圧検出部から検出されたＬＣ共振電圧のゼロ位相を検出し、前記ＩＧＢＴの導通スタート信号に用いることができるようにする共振電圧位相検出部と、
前記共振電圧検出部に接続され、前記ＩＧＢＴの許容耐圧以上の過電圧を検出してＩＧＢＴの駆動を停止させることができるようにするための過電圧検出部と、
前記ＩＧＢＴ駆動部に接続され、ＩＧＢＴの許容電流以上の過電流を検出してＩＧＢＴの駆動を停止させることができるようにする過電流検出部と、
前記入力電流検出部及び前記入力電圧検出部の出力に基づき、前記ＬＣ共振部の出力が一定するよう制御すると共に、共振電圧位相検出部から検出された信号に基づき共振電圧がゼロ位相のとき前記ＩＧＢＴのスイッチングを制御し、前記過電圧検出部と過電流検出部の出力に基づき前記ＩＧＢＴ過電圧及び過電流、過熱による焼損を防止するＤＳＰとを備えることを特徴とするＤＳＰを利用した誘導加熱調理装置。
【請求項１５】
過電流防止用ヒューズと、伝導性ノイズ除去のためのＥＭＩフィルタを経て入力される常用電源をブリッジダイオードを介し整流する整流部と、
前記過電流防止用ヒューズと、伝導性ノイズ除去のためのＥＭＩフィルタを経て入力される常用電源から電流トランスフォーマーを用いて電流を検出し、これに伴う電圧レベルをＤＳＰに入力する入力電流検出部と、
前記過電流防止用ヒューズと、伝導性ノイズ除去のためのＥＭＩフィルタを経て入力される常用電源を抵抗分圧回路を介し電圧レベルに変換してＤＳＰに入力する入力電圧検出部と、
ＩＧＢＴのスイッチングと、その時定数によるエネルギー充放電を繰り返して調理器具を誘導加熱するＬＣ共振部と、
ＬＣ共振電圧を検出する共振電圧検出部と、
前記ＤＳＰから供給されるＩＧＢＴ駆動制御信号に応じて前記ＩＧＢＴを駆動するＩＧＢＴ駆動部と、
前記共振電圧検出部から検出されたＬＣ共振電圧のゼロ位相を検出し、前記ＩＧＢＴの導通スタート信号に用いることができるようにする共振電圧位相検出部と、
前記共振電圧検出部に接続され、前記ＩＧＢＴの許容耐圧以上の過電圧を検出してＩＧＢＴの駆動を停止させることができるようにするための過電圧検出部と、
前記ＩＧＢＴ駆動部に接続され、ＩＧＢＴの許容電流以上の過電流を検出してＩＧＢＴの駆動を停止させることができるようにする過電流検出部と、
前記入力電流検出部及び前記入力電圧検出部の出力に基づき前記ＬＣ共振部の出力が一定するよう制御すると共に、共振電圧位相検出部から検出された信号に基づき共振電圧がゼロ位相のとき前記ＩＧＢＴのスイッチングを制御し、前記過電圧検出部と過電流検出部の出力に基づき、前記ＩＧＢＴ過電圧及び過電流、過熱による焼損を防止するＤＳＰを備えることを特徴とするＤＳＰを利用した誘導加熱調理装置。
【発明の詳細な説明】
【技術分野】
【０００１】
本発明はＤＳＰ（DigitalSignal Processor）誘導加熱調理装置に関し、より詳しくはＤＳＰを利用して誘導加熱調理装置の駆動制御アルゴリズムと保護動作、検出動作及びパワー素子駆動を具現した技術である。
【背景技術】
【０００２】
一般に、誘導加熱装置は誘導加熱コイルを利用して熱を発生させる装置である。即ち、誘導加熱コイルが高速でスイッチングされると誘導磁界が発生し、この誘導磁界が誘導加熱コイルに隣接する磁界性加熱対象の表面に渦電流（Eddy Current）を流すことにより、渦流損（Eddy Current Loss）及び交番磁界によるヒステリシス損失による熱を発生するようにする。
【０００３】
さらに、誘導加熱調理装置はこのような誘導加熱装置を利用して調理容器を加熱するようにした装置であり、今までの誘導加熱調理装置は殆どアナログ回路を利用してその出力を制御するよう具現されてきた。
【０００４】
したがって、従来の誘導加熱調理装置のアナログ回路は温度等の周辺環境の変動に伴う制御特性の変化が多く、使用者インタフェースが少ないという問題点があった。
【０００５】
さらに、従来の誘導加熱調理装置は多数の回路構成部品を必要とし、主制御器との信号連結線が多数備えられ、面積の消耗が大きく多様な保護回路を備えることが困難であった。
【０００６】
それだけでなく、従来の誘導加熱調理装置は入力電源変動に伴う出力パワーの影響が大きく入力電源の電圧波形に伴う電流歪曲が発生し易く、瞬時停電検知方法がないので、停電時に誤作動が発生する恐れがあった。特に、従来の誘導加熱調理装置は非線形的な制御特性を求める機能においては多くの制約が伴い、制限された性能を有するという問題点があった。
【特許文献１】韓国特許公開１０-１９９７-００６２５０４号公報
【特許文献２】日本特開平１１-２５１０５０号公報
【発明の開示】
【発明が解決しようとする課題】
【０００７】
本発明はこのような問題点を解決するためのもので、本発明の目的は誘導加熱調理装置の駆動制御アルゴリズムをＤＳＰを利用して具現することにより、精密かつ高性能の制御性を獲得して様々な状況に複合的に対応することができ、使用者インタフェースを多様化させることにある。
【０００８】
さらに、本発明の他の目的は回路構成部品の点数及び主制御器との信号連結線を低減させて面積の消耗を低減させ、温度等の周辺環境の変動に伴う制御特性の変化を最少化することにある。
【０００９】
なお、本発明のさらに他の目的はＤＳＰを利用して入力電源を検出することにより、入力電源の変動に係りなく一定電力を安定的に供給することができるようにし、入力電圧波形に伴う電流波形歪曲をＤＳＰで演算制御して電流波形歪曲に伴う出力歪曲を低減させることにある。
【００１０】
なお、本発明のさらに他の目的は、瞬時停電時に停電以前状態を記憶して復電時に以前状態に駆動させることができるようにすることにある。
【課題を解決するための手段】
【００１１】
本発明に係るＤＳＰを利用した誘導加熱調理装置は、入力電源を整流し前記入力電源の電流及び電圧レベルをチェックする入力電源制御部と、前記入力電源の印加を受け、スイッチング及びＬＣ共振回路の時定数によるエネルギー充放電を繰り返して調理器具を誘導加熱する誘導加熱部と、前記誘導加熱部の誘導加熱動作を制御し、前記入力電源制御部のチェック結果に従い前記誘導加熱部の出力が一定するよう制御するＤＳＰと、前記誘導加熱部の共振電圧を検出して前記ＤＳＰの動作を制御するＤＳＰ制御部を含んで構成することを特徴とする。
【００１２】
さらに、本発明に係るＤＳＰを利用した誘導加熱調理装置は、過電流防止用ヒューズと伝導性ノイズ除去のためのＥＭＩフィルタを経て入力される常用電源をブリッジダイオードを介し整流する整流部と、前記過電流防止用ヒューズと伝導性ノイズ除去のためのＥＭＩフィルタを経て入力される常用電源から、電流トランスフォーマーを用いて電流を検出し、これによる電圧レベルをＤＳＰに入力する入力電流検出部と、前記整流部の出力を抵抗分圧回路を介し電圧レベルに変換してＤＳＰに入力する入力電圧検出部と、ＩＧＢＴのスイッチングとその時定数によるエネルギー充放電を繰り返して調理器具を誘導加熱するＬＣ共振部と、ＬＣ共振電圧を検出する共振電圧検出部と、前記ＤＳＰから供給されるＩＧＢＴ駆動制御信号に応じて前記ＩＧＢＴを駆動するＩＧＢＴ駆動部と、前記共振電圧検出部から検出されたＬＣ共振電圧のゼロ位相を検出し、前記ＩＧＢＴの導通スタート信号として用いることができるようにする共振電圧位相検出部と、前記共振電圧検出部に接続され、前記ＩＧＢＴの許容耐圧以上の過電圧を検出してＩＧＢＴの駆動を停止させることができるようにするための過電圧検出部と、前記ＩＧＢＴ駆動部に接続され、ＩＧＢＴの許容電流以上の過電流を検出してＩＧＢＴの駆動を停止させることができるようにする過電流検出部と、前記入力電流検出部及び前記入力電圧検出部の出力に基づき前記ＬＣ共振部の出力が一定するよう制御すると共に、共振電圧位相検出部から検出された信号に基づき共振電圧がゼロ位相のとき、前記ＩＧＢＴのスイッチングを制御し、前記過電圧検出部と過電流検出部の出力に基づき前記ＩＧＢＴ過電圧及び過電流、過熱による焼損を防止するＤＳＰを備えることを特徴とする。
【００１３】
さらに、本発明に係るＤＳＰを利用した誘導加熱調理装置は、過電流防止用ヒューズと伝導性ノイズ除去のためのＥＭＩフィルタを経て入力される常用電源をブリッジダイオードを介し整流する整流部と、前記過電流防止用ヒューズと伝導性ノイズ除去のためのＥＭＩフィルタを経て入力される常用電源から電流トランスフォーマーを用いて電流を検出し、これに伴う電圧レベルをＤＳＰに入力する入力電流検出部と、前記過電流防止用ヒューズと伝導性ノイズ除去のためのＥＭＩフィルタを経て入力される常用電源を抵抗分圧回路を介し電圧レベルに変換してＤＳＰに入力する入力電圧検出部と、ＩＧＢＴのスイッチングとその時定数によるエネルギー充放電を繰り返して調理器具を誘導加熱するＬＣ共振部と、ＬＣ共振電圧を検出する共振電圧検出部と、前記ＤＳＰから供給されるＩＧＢＴ駆動制御信号に応じて前記ＩＧＢＴを駆動するＩＧＢＴ駆動部と、前記共振電圧検出部から検出されたＬＣ共振電圧のゼロ位相を検出し、前記ＩＧＢＴの導通スタート信号に用いることができるようにする共振電圧位相検出部と、前記共振電圧検出部に接続され、前記ＩＧＢＴの許容耐圧以上の過電圧を検出してＩＧＢＴの駆動を停止させることができるようにするための過電圧検出部と、前記ＩＧＢＴ駆動部に接続され、ＩＧＢＴの許容電流以上の過電流を検出してＩＧＢＴの駆動を停止させることができるようにする過電流検出部と、前記入力電流検出部及び前記入力電圧検出部の出力に基づき前記ＬＣ共振部の出力が一定するよう制御すると共に、共振電圧位相検出部から検出された信号に基づき共振電圧がゼロ位相のとき前記ＩＧＢＴのスイッチングを制御し、前記過電圧検出部と過電流検出部の出力に基づき前記ＩＧＢＴ過電圧及び過電流、過熱による焼損を防止するＤＳＰを備えることを特徴とする。
【発明の効果】
【００１４】
第一、本発明は誘導加熱調理装置の駆動制御アルゴリズムをＤＳＰを用いて具現することにより回路構成部品の点数を減らすことができ、温度に伴う変動要因を低減させ、制御信号線の個数を減らし、入力電源変動をＤＳＰから検出して入力電源変動に係りなく一定電力を供給することができるようになる。
【００１５】
第二、本発明は入力電圧波形に伴う電流波形の歪曲をＤＳＰで演算制御し、電流波形の歪曲に伴う出力歪曲を低減し、瞬間的に停電時停電以前状態を記憶して復電時以前状態に駆動させ得るようにすることにより、製品の品質を向上させることができるようになる。
【発明を実施するための最良の形態】
【００１６】
以下、本発明を図を参照してより詳しく説明する。
【００１７】
図１は、本発明の第１の実施の形態に係るＤＳＰを利用した誘導加熱調理装置の構成を示す図である。
【００１８】
本発明の第１の実施の形態に係るＤＳＰを利用した誘導加熱調理装置は、入力電源制御部１００、ＤＳＰ２００、誘導加熱部３００、ＤＳＰ制御部５００及びＩＧＢＴ（Insulated Gate bipolar Transistor）安定化部６００を含んでなる。
【００１９】
入力電源制御部１００は入力電源のノイズを除去して整流し、入力電源の電流及び電圧レベルを検出してＤＳＰ２００に伝達する。このため、入力電源制御部１００はノイズフィルタ１１０、整流部１２０、電流検出部１３０、電圧検出部１４０及び平滑部１５０を備える。整流部１２０と平滑部１５０はノイズフィルタ１１０を介しフィルタリングされた入力電源を整流する。即ち、整流部１２０は交流を整流し平滑部１５０を経て脈流波形を得る。一方、電流検出部１３０はノイズフィルタ１００から出力された入力電源の電流を検出し、その電流値に該当する電圧レベル信号をＤＳＰ２００に伝達し、電圧検出部１４０は整流部１２０の出力の電圧レベルを検出し、その結果をＤＳＰ ２００に伝達する。このように、電流検出部１３０と電圧検出部１４０は入力電源の電流及び電圧レベルを検出してＤＳＰ２００に伝達することにより、ＤＳＰ ２００が入力電源の変動に伴いＩＧＢＴ ３２０のスイッチング動作時間を制御することにより入力電源の変動と関係なく一定に誘導加熱が行われるようにすることができる。
【００２０】
一方、ＤＳＰ ２００は電流検出部１３０及び電圧検出部１４０の出力信号に応じてＩＧＢＴ駆動部３１０を介しＩＧＢＴ３２０のスイッチング動作時間を制御する。即ち、入力電源の電圧レベルが低くなる場合ＩＧＢＴ ３２０のスイッチング動作時間を増加させ、入力電源の電圧レベルが高くなる場合ＩＧＢＴ３２０のスイッチング動作時間を減少させることにより、入力電源の変動と関係なく一定に誘導加熱ができるようにする。特に、ＤＳＰ ２００は電流検出部１３０及び電圧検出部１４０の出力を利用して瞬時停電を感知し、停電時に停電以前状態を記憶して復電時に以前状態に駆動することができるよう制御する。
【００２１】
さらに、ＤＳＰ ２００は共振電圧位相検出部５２０から共振電圧のゼロ位相検出信号の印加を受けるとＩＧＢＴ駆動部３１０を介しＩＧＢＴ３２０を駆動させ始める。さらに、ＤＳＰ ２００は過電流検出部６１０、過電圧検出部６２０及び温度検出部６３０の出力に基づきＩＧＢＴ駆動部３１０を介しＩＧＢＴ ３２０が適正に駆動され得るよう制御する。即ち、ＤＳＰ２００はＩＧＢＴ ３２０の温度、許容耐圧及び許容電流等が一定値以上であればＩＧＢＴ ３２０の駆動を停止させるためのＩＧＢＴ駆動制御信号をＩＧＢＴ駆動部３１０に印加する。
【００２２】
誘導加熱部３００はＤＳＰ ２００の制御下に、ＩＧＢＴ３２０のスイッチングとＬＣ共振部３３０の時定数によるエネルギー充放電を繰り返して調理器具４００を誘導加熱する。このため、誘導加熱部３００はＩＧＢＴ駆動部３１０、ＩＧＢＴ３２０及びＬＣ共振部３３０を備える。ＩＧＢＴ駆動部３１０はＤＳＰ ２００から出力されるＩＧＢＴ駆動制御信号により制御されＩＧＢＴ ３２０を制御する。ＩＧＢＴ ３２０はＩＧＢＴ駆動部３１０により駆動され、そのコレクタがキャパシタCsに接続され、ベースはＩＧＢＴ駆動部３１０に接続され、エミッタはグラウンドに接続される。ＬＣ共振部３３０は平滑部１７０の出力端に並列連結されるキャパシタCs及び誘導加熱コイルLsを備え、ＬＣ共振部３３０の時定数によるエネルギー充放電を繰り返して調理器具４００を誘導加熱する。
【００２３】
ＤＳＰ制御部５００は誘導加熱部３００の共振電圧の位相を検出し、共振電圧の位相がゼロの場合ゼロ位相検出信号をＤＳＰ２００に伝達することにより、ＤＳＰ ２００がＩＧＢＴ ３２０の駆動を制御するようにする。このため、ＤＳＰ制御部５００は共振電圧検出部５１０及び共振電圧位相検出部５２０を備える。共振電圧検出部５１０はＬＣ共振部３３０とＩＧＢＴ３２０の共通ノードに印加される共振電圧を検出し、共振電圧位相検出部５２０は共振電圧検出部５１０から検出されたＬＣ共振電圧のゼロ位相を検出してＤＳＰ ２００に伝達する。このとき、ＤＳＰ２００に伝達されたゼロ位相検出信号はＩＧＢＴ ３２０の導通スタート信号として用いられる。
【００２４】
ＩＧＢＴ安定化部６００はＩＧＢＴの許容電流、許容耐圧及び温度検出して基準値以上の場合ＤＳＰ２００に伝達し、ＤＳＰ ２００がＩＧＢＴ ３２０の駆動を中止させるようにする。このため、ＩＧＢＴ安定化部６００は過電流検出部６１０、過電圧検出部６２０及び温度検出部６３０を備える。過電流検出部６１０はＩＧＢＴ駆動部３１０に接続され、ＩＧＢＴ３２０の許容電流以上の過電流を検出してＤＳＰ ２００に伝達し、過電圧検出部６２０は共振電圧検出部５１０から出力された共振電圧を利用し、ＩＧＢＴ ３２０の許容耐圧以上の過電圧を検出してＤＳＰ２００に伝達し、温度検出部６３０は温度センサー等を利用してＩＧＢＴ ３２０の動作温度を検出してＤＳＰ ２００に伝達する。
【００２５】
図２は、図１の誘導加熱調理装置の細部構成を示す図である。
【００２６】
ノイズフィルタ１１０は過電流防止のための過電流防止用ヒューズF１、過電流防止用ヒューズF１にサージ電圧防止のため並列に連結されるキャパシタC１、及び伝導性ノイズ除去のためのＥＭＩフィルタ１１１を備える。
【００２７】
整流部１２０は、ノイズフィルタ１１０と電圧検出部１４０との間に連結されるブリッジダイオード１２１を備える。
【００２８】
入力電流検出部１３０は電流トランスフォーマーT１、キャパシタC２及び抵抗R１〜R４を備える。電流トランスフォーマーT１はノイズフィルタ１１０を介し入力される常用電源ACから電流を検出し、抵抗R１、R２は電圧を分配し、抵抗R３、R４は電流トランスフォーマーT１から検出された電流値を電圧レベルとしてＤＳＰ２００のA/Dコンバータ（図示省略）に入力されるように構成される。
【００２９】
電圧検出部１４０は複数個の抵抗R５〜R８及びキャパシタC３を備え、複数個の抵抗R５〜R８は整流部１２０の出力電圧を分配し、当該電圧レベルとしてＤＳＰ ２００のA/Dコンバータ（図示省略）に入力されるように構成され、キャパシタC３は回路保護用である。平滑部１５０はインダクタL１及びキャパシタC４を備える。
【００３０】
そして、ＬＣ共振部３３０は平滑部１５０の出力端に並列連結されるキャパシタCsと誘導加熱コイルLsを備え、ＩＧＢＴ ３２０はそのコレクタがキャパシタCsに連結され、そのベースが抵抗R９の一側に接続され、そのエミッタは接地電圧端に接続される。このとき、抵抗R９は他側がＩＧＢＴ駆動部３１０に接続される。
【００３１】
共振電圧検出部５１０は複数個の抵抗R１１〜R１５及びキャパシタC５を備える。複数個の抵抗R１１〜R１４はＬＣ共振部３３０の出力端に直列連結され、抵抗R１５は抵抗R１４の出力端と接地電圧端との間に連結され、キャパシタC５は抵抗R１５に並列連結される。
【００３２】
共振電圧位相検出部５２０は比較増幅部５２１、抵抗R１６〜R１８及びキャパシタC６を備える。比較部５２１は共振電圧検出部５１０の出力をその（＋）端に入力され、抵抗R１６、R１７及びキャパシタC６により形成される基準電圧を（−）端に入力され、両値を比較しＤＳＰ２００に印加する。
【００３３】
過電圧検出部６２０は比較部６２１、抵抗R１９、R２０及びキャパシタC７を備える。比較部６２１は共振電圧検出部５１０の出力を（＋）端に入力され、抵抗R１９ 、R２０及びキャパシタC７により形成される基準電圧を（−）端に入力され、両電圧を比較してその結果をＤＳＰ２００に印加する。
【００３４】
さらに、過電流検出部６１０はＩＧＢＴ駆動部３１０の出力信号を（＋）端に入力され、（−）端に基準電圧の入力を受け、両電圧を比較してＤＳＰ２００に印加する。
【００３５】
さらに、温度検出部６３０はＩＧＢＴ ３２０の動作温度を検出する温度センサー６３１及び抵抗R２１を備える。
【００３６】
図３は、本発明の第２の実施の形態に係る誘導加熱調理装置の構成を示す図である。
【００３７】
本発明の第２の実施の形態に係る誘導加熱調理装置は、入力電源制御部１００の電圧検出部１４０がノイズフィルタ１５１と整流部１６０との間に備えられ、その他の構成要素は図１及び図２の第１の実施の形態と同一であるので、その具体的な説明は省略する。図３のように入力電源制御部１００を構成する場合、整流部１６０は図４のように構成するのが好ましい。
【００３８】
図４に示されているように、整流部１６０はノイズフィルタ１５１と平滑部４１０との間に連結されるブリッジダイオード１６１とノイズフィルタ１５１と電圧検出部１９０との間に連結されるダイオード１６２を備える。
【００３９】
以下、本発明に係る誘導加熱調理装置の動作を説明する。  
【００４０】
先ず、入力電源制御部１００に常用電源ACである入力電源が印加されると、入力電源制御部１００はノイズフィルタ１５１を介し伝導性ノイズを除去し、整流部１６０及び平滑部１７０を介し整流してＬＣ共振部３００に印加する。
【００４１】
それに伴い、ＬＣ共振部３００はＬＣ共振電圧を発生し、共振電圧検出部５１０は共振電圧を検出し、共振電圧位相検出部５２０は共振電圧のゼロ位相を検出し、共振電圧がゼロ位相になればゼロ位相検出信号をＤＳＰ２００に伝達する。
【００４２】
したがって、ＤＳＰ ２００はＩＧＢＴ ３２０を導通させるためのＩＧＢＴ駆動制御信号をＩＧＢＴ駆動部３１０に出力し、ＩＧＢＴ駆動部３１０はＩＧＢＴ３２０を駆動し始める。
【００４３】
このように、ＩＧＢＴ ３２０がスイッチングを始めると、ＬＣ共振部３３０の時定数によるエネルギー充放電を繰り返して誘導加熱コイルLsを介し調理器具４００を誘導加熱し始める。
【００４４】
このとき、過電流検出部６１０、過電圧検出部６２０及び温度検出部６３０はＩＧＢＴ３２０に印加される電流、電圧及び温度を検出し、ＩＧＢＴ ３２０の許容電流、許容耐圧及び許容温度レベルを超過するかを検出し、その結果をＤＳＰ ２００に伝達する。それに伴い、ＤＳＰ２００は過電流検出部６１０、過電圧検出部６２０及び温度検出部６３０から周期的に検出結果を受信し、検出結果に伴いＩＧＢＴ ３２０のスイッチング動作を制御する。即ち、検出結果、許容電流、許容耐圧、許容温度レベルのうち少なくとも１つを超過する場合、ＤＳＰ２００はＩＧＢＴ駆動制御信号の出力を中止することによりＩＧＢＴ ３２０のスイッチング動作を中止させ、ＩＧＢＴ ３２０の焼損を防止する。
【００４５】
一方、電流検出部１３０、１８０及び電圧検出部１４０、１９０は誘導加熱中の入力電源の変動を引き続き検出してその結果をＤＳＰ２００に伝達し、それに伴いＤＳＰ ２００はＩＧＢＴ ３２０のスイッチング動作時間を調節することにより、入力電源が変化しても一定に安定的に誘導加熱を持続させることができるようにする。
【００４６】
なお、本発明について、好ましい実施の形態を基に説明したが、これらの実施の形態は、例を示すことを目的として開示したものであり、当業者であれば、本発明に係る技術思想の範囲内で、多様な改良、変更、付加等が可能である。このような改良、変更等も、特許請求の範囲に記載した本発明の技術的範囲に属することは言うまでもない。
【図面の簡単な説明】
【００４７】
【図１】本発明の第１の実施の形態に係るＤＳＰを利用した誘導加熱調理装置の構成を示す図である。
【図２】図１に示したＤＳＰを利用した誘導加熱調理装置の細部回路を示す図である。
【図３】本発明の第２の実施の形態に係るＤＳＰを利用した誘導加熱調理装置の構成を示す図である。
【図４】図３に示した整流部の細部回路を示す図である。
【符号の説明】
【００４８】
１００…入力電源制御部
２００…ＤＳＰ
３００…誘導加熱部
５００…ＤＳＰ制御部
６００…ＩＧＢＴ安定化部
１１０、１５１…ノイズフィルタ
１２０、１６０…整流部
１３０、１８０…電流検出部
１４０、１９０…電圧検出部
１５０、１７０…平滑部
１１１…ＥＭＩフィルタ
１２１、１６１…ブリッジダイオード
１６２…ダイオード
３１０…ＩＧＢＴ駆動部
３２０…ＩＧＢＴ 
３３０…ＬＣ共振部
５１０…共振電圧検出部
５２０…共振電圧位相検出部
５２１…比較増幅部
６１０…過電流検出部
６２０…過電圧検出部
６１１、６２１…比較部
６３０…温度検出部
６３１…温度センサー
【図１】
2006253132.tif 000003
【図２】
2006253132.tif 000004
【図３】
2006253132.tif 000005
【図４】
2006253132.tif 000006